(57)【要約】      （修正有）【課題】ユーザーの好みにあった再生モードで楽曲の再生を可能とする。【解決手段】取得部３２は、ＡＶレシーバー１に接続された携帯音楽プレーヤー３００のＩＤと、携帯音楽プレーヤー３００の現在の再生モードと、を取得する。指示部３３は、取得部３２が取得したＩＤに対応付けて記憶部３１に記憶されている携帯音楽プレーヤー３００の再生モードと、取得部３２が取得した携帯音楽プレーヤー３００の現在の再生モードと、がシャッフル再生モードで一致している場合、携帯音楽プレーヤー３００に楽曲の再生を指示する。【選択図】図１
2015132685.tif 000002
【特許請求の範囲】
【請求項１】
携帯音楽再生装置の識別情報と、通常再生モードとシャッフル再生モードとを含む、前記携帯音楽再生装置の再生モードと、を対応付けて記憶する記憶部と、
自装置に接続された前記携帯音楽再生装置の識別情報と、前記携帯音楽再生装置の現在の再生モードと、を取得する取得部と、
前記取得部が取得した前記識別情報に対応付けて前記記憶部に記憶されている前記携帯音楽再生装置の前記再生モードと、前記取得部が取得した前記携帯音楽再生装置の現在の前記再生モードと、が前記シャッフル再生モードで一致している場合、前記携帯音楽再生装置に楽曲の再生を指示する指示部と、
を備えることを特徴とする音声処理装置。
【請求項２】
前記取得部は、外部装置から再生する楽曲の選択を受け付けない通常接続モードと、前記外部装置から再生する楽曲の選択を受け付ける外部接続モードと、含む前記携帯音楽再生装置の接続モードをさらに取得し、
前記指示部は、
前記取得部が取得した前記接続モードが前記通常接続モードである場合、前記携帯音楽再生装置に楽曲の再生を指示し、
前記取得部が取得した前記接続モードが前記外部接続モードである場合、前記携帯音楽再生装置が記憶する楽曲のいずれかを選択し、選択した楽曲の再生を前記携帯音楽再生装置に指示することを特徴とする請求項１に記載の音声処理装置。
【請求項３】
前記取得部は、自装置に接続された前記携帯音楽再生装置から取得した前記識別情報と、前記再生モードと、を対応付けて前記記憶部に記憶させることを特徴とする請求項１又は２に記載の音声処理装置。
【請求項４】
前記携帯音楽再生装置が接続される第１端子を含む複数の端子と、
前記複数の端子のいずれかの選択を受け付ける受付部と、
前記受付部が選択を受け付けた前記端子を選択し、選択した前記端子に接続された前記携帯音楽再生装置を含む音楽再生装置が再生する楽曲を外部に出力するための選択部と、をさらに備え、
前記取得部は、前記携帯音楽再生装置が自装置に接続されたときに、前記選択部が選択している前記端子の情報を取得し、取得した前記端子の情報が前記第１端子を示す情報でない場合に、前記選択部に前記第１端子を選択させることを特徴とする請求項１〜３のいずれか１項に記載の音声処理装置。
【発明の詳細な説明】
【技術分野】
【０００１】
本発明は、音楽再生装置が再生する楽曲の音声信号に増幅等の処理を行って出力する音声処理装置に関する。
【背景技術】
【０００２】
音声処理装置として、例えば、音楽プレーヤー（音楽再生装置）が再生する楽曲の音声信号を増幅してスピーカーに出力するＡＶレシーバーが知られている。ＡＶレシーバーには、ＣＤプレーヤー等の据置型の音楽プレーヤーの他、携帯音楽プレーヤー（携帯音楽再生装置）が接続される。そして、ＡＶレシーバーは、携帯音楽プレーヤー等が再生する楽曲の音声信号を増幅してスピーカーに出力する。携帯音楽プレーヤーにおいては、ユーザーによって選択された楽曲を再生する通常再生モードと、メモリに記憶されている楽曲をランダムに再生するシャッフル再生モードと、がある（例えば、特許文献１参照。）。
【先行技術文献】
【特許文献】
【０００３】
【特許文献１】特開２００９−２６６２９４号公報
【発明の概要】
【発明が解決しようとする課題】
【０００４】
携帯音楽プレーヤーは、ＡＶレシーバーに接続されても、ユーザーが携帯音楽プレーヤーを操作し、携帯音楽プレーヤーに楽曲の再生を指示しなければ、楽曲の再生を行わない。携帯音楽プレーヤーにシャッフル再生を行わせるユーザーは、楽曲を選択せずに再生することを好むため、携帯音楽プレーヤーがＡＶレシーバーに接続された場合に、自動的に携帯音楽プレーヤーがシャッフル再生を開始し、ＡＶレシーバーを介して、スピーカーから楽曲が出力されることが好ましい。
【０００５】
そこで、ＡＶレシーバーは、接続された携帯音楽プレーヤーの再生モードを取得し、取得した再生モードがシャッフル再生モードであれば、携帯音楽プレーヤーに楽曲の再生を指示することが考えられる。しかしながら、普段は、携帯音楽プレーヤーに通常再生を行わせることを好むユーザーが、たまたま、シャッフル再生モードに設定した携帯音楽プレーヤーをＡＶレシーバーに接続した場合に、自動的にシャッフル再生が行われると、ユーザーの好みと一致しないこととなる。
【０００６】
本発明の目的は、ユーザーの好みにあった再生モードで楽曲の再生を可能とすることである。
【課題を解決するための手段】
【０００７】
第１の発明の音声処理装置は、携帯音楽再生装置の識別情報と、通常再生モードとシャッフル再生モードとを含む、前記携帯音楽再生装置の再生モードと、を対応付けて記憶する記憶部と、自装置に接続された前記携帯音楽再生装置の識別情報と、前記携帯音楽再生装置の現在の再生モードと、を取得する取得部と、前記取得部が取得した前記識別情報に対応付けて前記記憶部に記憶されている前記携帯音楽再生装置の前記再生モードと、前記取得部が取得した前記携帯音楽再生装置の現在の前記再生モードと、が前記シャッフル再生モードで一致している場合、前記携帯音楽再生装置に楽曲の再生を指示する指示部と、を備えることを特徴とする。
【０００８】
本発明では、指示部は、取得部が取得した識別情報に対応付けて記憶部に記憶されている携帯音楽再生装置の再生モードと、取得部が取得した携帯音楽再生装置の現在の再生モードと、がシャッフル再生モードで一致している場合、携帯音楽再生装置に楽曲の再生を指示する。そして、携帯音楽再生装置は、設定されているシャッフル再生モードに従って、楽曲のシャッフル再生を行う。このため、シャッフル再生を好むユーザーの携帯音楽再生装置の識別情報に対応付けてシャッフル再生モードを記憶しておけば、携帯音楽再生装置の現在の再生モードがシャッフル再生モードであれば、音声処理装置に携帯音楽再生装置が接続されると、携帯音楽再生装置によりシャッフル再生が行われる。また、シャッフル再生を好まないユーザーの携帯音楽再生装置の識別情報に対応付けて通常再生モードを記憶しておけば、現在の再生モードがシャッフル再生モードである携帯音楽再生装置が音声処理装置に接続されても、携帯音楽再生装置によりシャッフル再生が行われない。このように、本発明によれば、ユーザーの好みにあった再生モードで楽曲の再生を行うことができる。
【０００９】
第２の発明の音声処理装置は、第１の発明の音声処理装置において、前記取得部は、外部装置から再生する楽曲の選択を受け付けない通常接続モードと、前記外部装置から再生する楽曲の選択を受け付ける外部接続モードと、含む前記携帯音楽再生装置の接続モードをさらに取得し、前記指示部は、前記取得部が取得した前記接続モードが前記通常接続モードである場合、前記携帯音楽再生装置に楽曲の再生を指示し、前記取得部が取得した前記接続モードが前記外部接続モードである場合、前記携帯音楽再生装置が記憶する楽曲のいずれかを選択し、選択した楽曲の再生を前記携帯音楽再生装置に指示することを特徴とする。
【００１０】
本発明では、指示部は、取得部が取得した接続モードが通常接続モードである場合、携帯音楽再生装置に楽曲の再生を指示する。これにより、設定されているシャッフル再生モードに従って、携帯音楽再生装置によりシャッフル再生が行われる。また、指示部は、取得部が取得した接続モードが外部接続モードである場合、携帯音楽再生装置が記憶する楽曲のいずれかを選択し、選択した楽曲の再生を携帯音楽再生装置に指示する。このように、本発明によれば、携帯音楽再生装置の接続モードが、通常接続モード、外部接続モードのいずれであっても、携帯音楽再生装置にシャッフル再生を行わせることができる。
【００１１】
第３の発明の音声処理装置は、第１又は第２の発明の音声処理装置において、前記取得部は、自装置に接続された前記携帯音楽再生装置から取得した前記識別情報と、前記再生モードと、を対応付けて前記記憶部に記憶させることを特徴とする。
【００１２】
本発明では、取得部は、自装置に接続された携帯音楽再生装置から取得した識別情報と、再生モードと、を対応付けて記憶部に記憶させる。従って、音声処理装置に携帯音楽再生装置を一度接続すれば、識別情報と再生モードとが対応付けて記憶されるため、ユーザーの操作により、好みの再生モードを音声処理装置に設定する必要がない。
【００１３】
第４の発明の音声処理装置は、第１〜第３の発明のいずれかの音声処理装置において、前記携帯音楽再生装置が接続される第１端子を含む複数の端子と、前記複数の端子のいずれかの選択を受け付ける受付部と、前記受付部が選択を受け付けた前記端子を選択し、選択した前記端子に接続された前記携帯音楽再生装置を含む音楽再生装置が再生する楽曲を外部に出力するための選択部と、をさらに備え、前記取得部は、前記携帯音楽再生装置が自装置に接続されたときに、前記選択部が選択している前記端子の情報を取得し、取得した前記端子の情報が前記第１端子を示す情報でない場合に、前記選択部に前記第１端子を選択させることを特徴とする。
【００１４】
本発明では、取得部は、携帯音楽再生装置が自装置に接続されたときに、選択部が選択している端子の情報を取得し、取得した端子の情報が第１端子を示す情報でない場合に、選択部に第１端子を選択させる。従って、ユーザーは、第１端子以外が選択されている場合であっても、第１端子の選択を指示することなく、携帯音楽再生装置から再生される楽曲を外部に出力させることができる。
【発明の効果】
【００１５】
本発明によれば、ユーザーの好みにあった再生モードで楽曲の再生を行うことができる。
【図面の簡単な説明】
【００１６】
【図１】本発明の実施形態に係るＡＶレシーバーの構成を示すブロック図である。
【図２】携帯音楽プレーヤーのＩＤと、携帯音楽プレーヤーの再生モードと、を対応付けて記憶するテーブルの一例を示す図である。
【図３】携帯音楽プレーヤーのＩＤと、携帯音楽プレーヤーの再生モードと、を対応付けて記憶するテーブルの一例を示す図である。
【図４】携帯音楽プレーヤーが接続された場合のＡＶレシーバーの処理動作を示すフローチャートである。
【発明を実施するための形態】
【００１７】
以下、本発明の実施形態について説明する。図１は、本実施形態に係るＡＶレシーバーの構成を示すブロック図である。ＡＶレシーバー１（音声処理装置）は、例えば、音楽プレーヤー（音楽再生装置）であるＤＶＤプレーヤー１００ａ、ＣＤプレーヤー１００ｂ、ＴＶ受信機１００ｃ、と接続されている。また、ＡＶレシーバー１には、携帯音楽プレーヤー３００（携帯音楽再生装置）も接続される。また、ＡＶレシーバー１は、スピーカー２００と接続されている。ＡＶレシーバー１は、ＤＶＤプレーヤー１００ａ等が再生する楽曲の音声信号を増幅し、増幅した音声信号をスピーカー２００に出力する機能を有する。なお、ＡＶレシーバー１には、ＤＶＤプレーヤー１００ａ等から映像信号も入力される。そして、ＡＶレシーバー１は、その映像信号を図示しないディスプレイ装置に出力することも可能であるが、説明の簡単のため、映像信号の出力については説明を省略する。
【００１８】
図１に示すように、ＡＶレシーバー１は、マイクロコンピュータ２、３、表示部４、操作部５、アナログ音声入力端子６（６ａ〜６ｃ）、ＵＳＢ端子７、Ｄ／Ａコンバータ８、セレクタ９、ボリューム調整回路１０、パワーアンプ回路１１、アナログ音声出力端子１２等を備えている。
【００１９】
マイクロコンピュータ（以下、「メインマイコン」という。）２は、ＣＰＵ（Central Processing Unit）、ＲＯＭ（Read Only Memory）、ＲＡＭ（Random Access Memory）、入出力インターフェース等のハードウェアから構成されている。ＣＰＵは、ＲＯＭに格納されたプログラムに従って、ＡＶレシーバー１を構成する各部を制御する。メインマイコン２が行う処理については後述する。
【００２０】
マイクロコンピュータ（以下、「サブマイコン」という。）３は、ＣＰＵ、ＲＯＭ、ＲＡＭ、入出力インターフェース等のハードウェアから構成されている。また、サブマイコン３は、ＵＳＢホストコントローラ、認証用ＩＣを備えている。ＵＳＢホストコントローラは、ＵＳＢ規格に対応した通信をＵＳＢデバイス（本実施形態では、携帯音楽プレーヤー３００）と行うためのコントローラである。ＡＶレシーバー１は、ＵＳＢホストコントローラにより、ＵＳＢホストとして機能する。認証用ＩＣは、携帯音楽プレーヤー３００を認証するためのＩＣである。サブマイコン３は、携帯音楽プレーヤー３００と通信を行って、携帯音楽プレーヤー３００の制御等を行う。サブマイコン３が行う処理については後述する。
【００２１】
表示部４は、設定画面、音量レベルなどを表示するものであり、ＬＣＤ（液晶ディスプレイ）や蛍光表示管等である。操作部５は、ユーザー操作を受け付けるためのものであり、ＡＶアンプ１の筐体に設けられた操作ボタンやリモートコントローラである。ユーザーは、操作部５を操作することにより、いずれのＤＶＤプレーヤー１００ａ、ＣＤプレーヤー１００ｂ、テレビ受信機１００ｃ、携帯音楽プレーヤー３００が再生する楽曲の音声信号を、スピーカー２００に出力するかをＡＶレシーバー１に指示することが可能である。
【００２２】
アナログ音声入力端子６ａ〜６ｃ（端子）には、それぞれ、ＤＶＤプレーヤー１００ａ、ＣＤプレーヤー１００ｂ、ＴＶ受信機１００ｃが接続されており、接続されている音楽プレーヤーが再生する楽曲のアナログ音声信号が入力される。ＵＳＢ端子７（第１端子）には、携帯音楽プレーヤー３００が接続され、携帯音楽プレーヤー３００が再生する楽曲のデジタル音声信号が入力される。なお、ＡＶレシーバー１が備えるアナログ音声入力端子６、ＵＳＢ端子７の数は、本実施形態で例示する数に限られない。Ｄ／Ａコンバータ８は、ＵＳＢ端子７から入力されたデジタル音声信号をアナログ音声信号にＤ／Ａ変換する。
【００２３】
セレクタ９（選択部）は、後述するメインマイコン２（受付部２１）からの指示に従って、いずれかの端子６ａ〜６ｃ、７を選択し、選択した端子に接続された音楽プレーヤーが再生する楽曲の音声信号を、ボリューム調整回路１０、パワーアンプ回路１１を介して、スピーカー２００に出力するためのものである。すなわち、ＤＶＤプレーヤー１００ａから入力される楽曲の音声信号をスピーカー２００に出力する場合、セレクタ９は、アナログ音声入力端子６ａを選択し、アナログ音声入力端子６ａとボリューム調整回路１０とを接続する。ＣＤプレーヤー１００ｂから入力される音声信号をスピーカー２００に出力する場合、セレクタ９は、アナログ音声入力端子６ｂを選択し、アナログ音声入力端子６ｂとボリューム調整回路１０とを接続する。ＴＶ受信機１００ｃから入力される音声信号をスピーカー２００に出力する場合、セレクタ９は、アナログ音声入力端子６ｃを選択し、アナログ音声入力端子６ｃとボリューム調整回路１０とを接続する。携帯音楽プレーヤー３００から入力される音声信号をスピーカー２００に出力する場合、セレクタ９は、ＵＳＢ端子７を選択し、ＵＳＢ端子７とボリューム調整回路１０とを接続する。
【００２４】
ボリューム調整回路１０は、アナログ音声入力端子６等から入力された音声信号のボリュームを調整し、パワーアンプ回路１１に出力する。ここで、ボリューム調整回路１０は、メインマイコン２が決定したボリュームに音声信号を調整する。メインマイコン２は、例えば、操作部５のボリュームノブの回転数に基づいて、ボリューム調整回路１０が調整するボリュームを決定し、ボリューム調整回路１０に出力する。パワーアンプ回路１１は、ボリューム調整回路１０から出力された音声信号を増幅し、アナログ音声出力端子１２に出力する。アナログ音声出力端子１２には、スピーカー２００が接続されており、アナログ音声出力端子１２からスピーカー２００に音声信号が出力される。スピーカー２００は、ＡＶレシーバー１から入力された音声信号に基づいて、音声を出力する。
【００２５】
次に、携帯音楽プレーヤー３００について説明する。携帯音楽プレーヤー３００は、例えば、アップル社製のｉＰｏｄ（登録商標）である。携帯音楽プレーヤー３００は、メモリに記憶されている楽曲を再生し、ＡＶレシーバー１に接続されている場合は、楽曲の音声信号をＡＶレシーバー１に出力する。また、携帯音楽プレーヤー３００は、ＵＳＢデバイスコントローラを備えている。ＵＳＢデバイスコントローラは、ＵＳＢ規格に対応した通信をＵＳＢホスト（本実施形態では、ＡＶレシーバー１）と行うためのコントローラである。ＵＳＢデバイスコントローラにより、携帯音楽プレーヤー３００は、ＵＳＢデバイスとして機能する。
【００２６】
また、携帯音楽プレーヤー３００は、ユーザーによって選択された楽曲を再生する通常再生モードと、メモリに記憶されている楽曲をランダムに再生するシャッフル再生モードと、の２種類の再生モードを有している。ユーザーは、操作部の操作により、いずれかの再生モードに携帯音楽プレーヤー３００を設定することが可能である。また、携帯音楽プレーヤー３００は、外部装置（例えば、ＡＶレシーバー１）から再生する楽曲の選択を受け付けない通常接続モードと、外部装置から再生する楽曲の選択を受け付ける外部接続モードと、の２種類の接続モードを有している。ユーザーは、操作部の操作により、いずれかの接続モードに携帯音楽プレーヤー３００を設定することが可能である。
【００２７】
次に、メインマイコン２が行う処理について説明する。メインマイコン２は、複数の端子６ａ〜６ｃ、７のいずれかの選択を受け付ける受付部２１として機能する。具体的には、受付部２１は、ユーザーによる操作部５の操作に基づいて、複数の端子６ａ〜６ｃ、７のいずれかの選択を受け付ける。受付部２１は、複数の端子６ａ〜６ｃ、７のいずれかの選択を受け付けると、選択を受け付けた端子を選択するように、セレクタ９に指示する。上述のように、セレクタ９は、受付部２１の指示に従って、いずれかの端子６ａ〜６ｃ、７を選択する。
【００２８】
次に、サブマイコン３が行う処理について説明する。サブマイコン３は、記憶部３１、取得部３２、指示部３３として機能する。記憶部３１は、携帯音楽プレーヤー３００のＩＤ（識別情報）と、通常再生モードとシャッフル再生モードとを含む、携帯音楽プレーヤーの再生モードと、を対応付けて記憶する。図２は、携帯音楽プレーヤー３００のＩＤと、携帯音楽プレーヤー３００の再生モードと、を対応付けて記憶するテーブルの一例を示す図である。図２に示すように、テーブルは、「Ｎｏ．」フィールド、「ＩＤ」フィールド、「再生モード」フィールド、を有している。テーブルにおいては、各レコード（行）に記憶されている情報が対応付けられている。「Ｎｏ．」フィールドには、各レコードを一意に特定するための番号（例えば、「１」、「２」等）が記憶されている。「ＩＤ」フィールドには、携帯音楽プレーヤー３００のＩＤ（例えば、「ａａａ」、「ｂｂｂ」等）が記憶されている。「再生モード」フィールドには、携帯音楽プレーヤー３００の再生モード（「通常再生モード」、「シャッフル再生モード」）が記憶されている。ここで、記憶部３１には、後述する取得部３２により取得された携帯音楽プレーヤー３００のＩＤと、再生モードと、が対応付けて記憶される。
【００２９】
取得部３２は、ＡＶレシーバー１に接続された携帯音楽プレーヤー３００のＩＤと、携帯音楽プレーヤーの現在の再生モードと、を取得する。ここで、例えば、ＡＶレシーバー１に初めてＩＤ「ｅｅｅ」、再生モード「通常再生モード」の携帯音楽プレーヤー３００が接続されたとする。この場合、取得部３２は、初めてＩＤ「ｅｅｅ」と、再生モード「通常再生モード」と、を取得する。そして、図２に示すように、取得部３２は、取得したＩＤ「ｅｅｅ」と再生モード「通常モード」とを対応付けて記憶部３３に記憶させる。また、例えば、ＡＶレシーバー１に接続されていたＩＤ「ｅｅｅ」、再生モード「通常再生モード」の携帯音楽プレーヤー３００が接続を解除され、再生モードが「通常再生モード」から「シャッフル再生モード」に変更され、再度ＡＶレシーバー１に接続されたとする。この場合、取得部３２は、ＩＤ「ｅｅｅ」と、再生モード「シャッフル再生モード」と、を取得する。そして、図３に示すように、取得部３２は、取得したＩＤ「ｅｅｅ」に対応する再生モードを「通常再生モード」から「シャッフル再生モード」に書き換えて記憶部３１に記憶させる。従って、記憶部３１には、ＡＶレシーバー１との接続が遮断されたときの携帯音楽プレーヤー３００の再生モードが記憶されることとなる。
【００３０】
また、取得部３２は、通常接続モードと、外部接続モードと、含む携帯音楽プレーヤー３００の接続モードを取得する。
【００３１】
また、取得部３２は、携帯音楽プレーヤー３００がＡＶレシーバー１に接続されたときに、セレクタ９が選択している端子の情報を取得する。具体的には、取得部３２は、メインマイコン２にセレクタ９の選択状態を問い合わせる問い合わせコマンドを送信することによって、セレクタ９が選択している端子の情報を取得する。また、取得部３２は、携帯音楽プレーヤー３００がＡＶレシーバー１に接続されたときに取得したセレクタ９が選択している端子の情報が、ＵＳＢ端子７を示す情報でない（アナログ音声入力端子６を示す情報である）場合、セレクタ９にＵＳＢ端子７を選択させる。具体的には、取得部３２は、メインマイコン２にセレクタ９にＵＳＢ端子７を選択させる変更コマンドを送信することによって、セレクタ９にＵＳＢ端子７を選択させる。
【００３２】
指示部３３は、携帯音楽プレーヤー３００に楽曲の再生を指示する。具体的には、指示部３３は、取得部３２が取得したＩＤに対応付けて記憶部３１に記憶されている携帯音楽プレーヤー３００の再生モードと、取得部３２が取得した携帯音楽プレーヤー３００の現在の再生モードと、がシャッフル再生モードで一致している場合、携帯音楽プレーヤー３００に楽曲の再生を指示する。例えば、取得部３２が、携帯音楽プレーヤー３００からＩＤ「ａａａ」、再生モード「シャッフル再生モード」を取得したとする。取得部３２は、取得したＩＤ「ａａａ」と対応付けて記憶部３１に記憶されている再生モード「シャッフル再生モード」（図２参照）と、取得部３２が取得した現在の再生モード「シャッフル再生モード」と、を比較する。この場合、取得部３２が取得したＩＤ「ａａａ」に対応付けて記憶部３１に記憶されている携帯音楽プレーヤー３００の再生モード「シャッフル再生モード」と、取得部３２が取得した携帯音楽プレーヤー３００の現在の再生モード「シャッフル再生モード」と、が「シャッフル再生モード」で一致しているため、指示部３３は、携帯音楽プレーヤー３００に楽曲の再生を指示する。
【００３３】
ここで、取得部３２が取得した接続モードによって、指示部３３が、携帯音楽プレーヤー３００に対して行う指示が異なる。指示部３３は、取得部３２が取得した接続モードが通常接続モードである場合、携帯音楽プレーヤー３００に楽曲の再生を指示する。具体的には、指示部３３は、携帯音楽プレーヤー３００に楽曲の再生コマンドを送信して、楽曲の再生を指示する。携帯音楽プレーヤー３００は、再生コマンドを受信して、設定されているシャッフル再生モードに従い、シャッフル再生を開始する。
【００３４】
指示部３３は、取得部３２が取得した接続モードが外部接続モードである場合、携帯音楽プレーヤー３００が記憶する楽曲のいずれかを選択し、選択した楽曲の再生を携帯音楽プレーヤー３００に指示する。ここで、携帯音楽プレーヤー３００においては、シャッフル再生用の楽曲リストを設定することが可能である。本実施形態では、指示部３３は、シャッフル再生用の楽曲リストの中から、再生する楽曲を選択し、選択した楽曲の再生を携帯音楽プレーヤー３００に指示する。なお、指示部３３は、携帯音楽プレーヤー３００による１曲の楽曲の再生が終わるたびに、携帯音楽プレーヤー３００が記憶する楽曲のいずれかを選択し、選択した楽曲の再生を携帯音楽プレーヤー３００に指示する。
【００３５】
また、指示部３３は、取得部３２が取得したＩＤに対応付けて記憶部３１に記憶されている携帯音楽プレーヤー３００の再生モードと、取得部３２が取得した携帯音楽プレーヤー３００の現在の再生モードと、がシャッフル再生モードで一致していない場合、携帯音楽プレーヤー３００に楽曲の再生を指示しない。すなわち、取得部３２が取得したＩＤに対応付けて記憶部３１に記憶されている携帯音楽プレーヤー３００の再生モードと、取得部３２が取得した携帯音楽プレーヤー３００の現在の再生モードと、のいずれかが「通常再生モード」である場合、指示部３３は、携帯音楽プレーヤー３００に楽曲の再生を指示しない。例えば、取得部３２が、携帯音楽プレーヤー３００からＩＤ「ｃｃｃ」を取得したとする。指示部３３は、取得したＩＤ「ｃｃｃ」と対応付けて記憶部３３に記憶されている再生モードが「通常再生モード」（図２参照）であるため、携帯音楽プレーヤー３００に楽曲の再生を指示しない。また、例えば、取得部３２が取得した携帯音楽プレーヤー３００の現在の再生モードが「通常再生モード」である場合、指示部３３は、携帯音楽プレーヤー３００に楽曲の再生を指示しない。
【００３６】
なお、外部接続モードの携帯音楽プレーヤー３００がＡＶレシーバー１に接続された場合、ＡＶレシーバー１は、携帯音楽プレーヤー３００のシャッフル再生用の楽曲リストを取得し、ディスプレイ装置に表示させる。
【００３７】
以下、携帯音楽プレーヤー３００が接続された場合のＡＶレシーバー１の処理動作を、図４に示すフローチャートに基づいて説明する。取得部３２は、ＵＳＢ端子７に携帯音楽プレーヤー３００が接続されたか否かを判断する（Ｓ１）。取得部３２は、ＵＳＢ端子７に携帯音楽プレーヤー３００が接続されていないと判断している間は（Ｓ１：Ｎｏ）、Ｓ１の処理を繰り返し実行する。取得部３２は、ＵＳＢ端子７に携帯音楽プレーヤー３００が接続されたと判断した場合（Ｓ１：Ｙｅｓ）、セレクタ９の選択状態、すなわち、セレクタ９が選択している端子の情報を取得する（Ｓ２）。取得部３２は、取得した端子の情報がＵＳＢ端子７を示す情報であるか否かを判断する（Ｓ３）。取得部３２は、取得した端子の情報がＵＳＢ端子７を示す情報でない、すなわち、アナログ音声入力端子６を示す情報であると判断した場合（Ｓ３：Ｎｏ）、セレクタ９の選択をＵＳＢ端子７に変更させる（Ｓ４）。すなわち、取得部３２は、セレクタ９にＵＳＢ端子７を選択させる。
【００３８】
取得部３２は、取得した端子の情報がＵＳＢ端子７を示す情報であると判断した場合（Ｓ３：Ｙｅｓ）、又は、Ｓ４の処理の後、接続された携帯音楽プレーヤー３００のＩＤを取得し、取得したＩＤに対応付けて記憶部３１に記憶されている携帯音楽プレーヤー３００の再生モードを取得する（Ｓ５）。ここで、記憶部３１には、前回接続を遮断されたときの携帯音楽プレーヤー３００の再生モードが記憶されているため、取得部３２は、前回接続されていたときの携帯音楽プレーヤー３００の再生モードを取得することとなる。なお、このとき、携帯音楽プレーヤー３００の認証処理も行われる。次に、取得部３２は、取得したＩＤに対応付けて記憶部３１に記憶されている携帯音楽プレーヤー３００の再生モードがシャッフル再生モードであるか否かを判断する（Ｓ６）。すなわち、取得部３２は、前回接続されていたときの携帯音楽プレーヤー３００の再生モードがシャッフル再生モードであるか否かを判断する。取得部３２は、取得したＩＤに対応付けて記憶部３１に記憶されている携帯音楽プレーヤー３００の再生モードがシャッフル再生モードでない、すなわち、通常再生モードであると判断した場合（Ｓ６：Ｎｏ）、処理を終了する。
【００３９】
取得部３２は、取得したＩＤに対応付けて記憶部３１に記憶されている携帯音楽プレーヤー３００の再生モードがシャッフル再生モードであると判断した場合（Ｓ６：Ｙｅｓ）、携帯音楽プレーヤー３００の現在の再生モードを取得する（Ｓ７）。次に、取得部３２は、取得した携帯音楽プレーヤー３００の現在の再生モードがシャッフル再生モードであるか否かを判断する（Ｓ８）。取得部３２は、取得した携帯音楽プレーヤー３００の現在の再生モードがシャッフル再生モードでない、すなわち、通常再生モードであると判断した場合（Ｓ８：Ｎｏ）、処理を終了する。
【００４０】
取得部３２は、取得した携帯音楽プレーヤー３００の現在の再生モードがシャッフル再生モードであると判断した場合（Ｓ８：Ｙｅｓ）、携帯音楽プレーヤー３００の接続モードを取得する（Ｓ９）。次に、指示部３３は、取得部３２が取得した携帯音楽プレーヤー３００の接続モードが外部接続モードであるか否かを判断する（Ｓ１０）。指示部３３は、取得部３２が取得した携帯音楽プレーヤー３００の接続モードが外部接続モードではない、すなわち、通常接続モードであると判断した場合（Ｓ１０：Ｎｏ）、携帯音楽プレーヤー３００に楽曲の再生を指示する（Ｓ１１）。携帯音楽プレーヤー３００は、シャッフル再生モードに設定されているから、シャッフル再生モードに従って、楽曲のシャッフル再生を行う。
【００４１】
指示部３３は、取得部３２が取得した携帯音楽プレーヤー３００の接続モードが外部接続モードであると判断した場合（Ｓ１０：Ｙｅｓ）、携帯音楽プレーヤー３００が記憶する楽曲のいずれかを選択し、選択した楽曲の再生を携帯音楽プレーヤー３００に指示する（Ｓ１２）。携帯音楽プレーヤー３００は、ＡＶレシーバー１からの指示に従って、楽曲の再生を行う。
【００４２】
以上説明したように、本実施形態では、指示部３３は、取得部３２が取得したＩＤに対応付けて記憶部３３に記憶されている携帯音楽プレーヤー３００の再生モードと、取得部３２が取得した携帯音楽プレーヤー３００の現在の再生モードと、がシャッフル再生モードで一致している場合、携帯音楽プレーヤー３００に楽曲の再生を指示する。そして、携帯音楽プレーヤー３００は、設定されているシャッフル再生モードに従って、楽曲のシャッフル再生を行う。このため、シャッフル再生を好むユーザーの携帯音楽プレーヤー３００のＩＤに対応付けてシャッフル再生モードを記憶しておけば、携帯音楽プレーヤー３００の現在の再生モードがシャッフル再生モードであれば、ＡＶレシーバー１に携帯音楽プレーヤー３００が接続されると、携帯音楽プレーヤー３００によりシャッフル再生が行われる。また、シャッフル再生を好まないユーザーの携帯音楽プレーヤー３００のＩＤに対応付けて通常再生モードを記憶しておけば、現在の再生モードがシャッフル再生モードである携帯音楽プレーヤー３００がＡＶレシーバー１に接続されても、携帯音楽プレーヤー３００によりシャッフル再生が行われない。このように、本実施形態によれば、ユーザーの好みにあった再生モードで楽曲の再生を行うことができる。
【００４３】
また、本実施形態では、指示部３３は、取得部３２が取得した接続モードが通常接続モードである場合、携帯音楽プレーヤー３００に楽曲の再生を指示する。これにより、設定されているシャッフル再生モードに従って、携帯音楽プレーヤー３００によりシャッフル再生が行われる。また、指示部３３は、取得部３２が取得した接続モードが外部接続モードである場合、携帯音楽プレーヤー３００が記憶する楽曲のいずれかを選択し、選択した楽曲の再生を携帯音楽プレーヤー３００に指示する。このように、本実施形態によれば、携帯音楽プレーヤー３００の接続モードが、通常接続モード、外部接続モードのいずれであっても、携帯音楽プレーヤー３００にシャッフル再生を行わせることができる。
【００４４】
また、本実施形態では、取得部３２は、ＡＶレシーバー１に接続された携帯音楽プレーヤー３００から取得したＩＤと、再生モードと、を対応付けて記憶部３１に記憶させる。従って、ＡＶレシーバー１に携帯音楽プレーヤー３００を一度接続すれば、ＩＤと再生モードとが対応付けて記憶されるため、ユーザーの操作により、好みの再生モードをＡＶレシーバー１に設定する必要がない。
【００４５】
また、本実施形態では、取得部３２は、携帯音楽プレーヤー３００がＡＶレシーバー１に接続されたときに、セレクタ９が選択している端子の情報を取得し、取得した端子の情報がＵＳＢ端子７を示す情報でない場合に、セレクタ９にＵＳＢ端子７を選択させる。従って、ユーザーは、ＵＳＢ端子７以外が選択されている場合であっても、ＵＳＢ端子７の選択を指示することなく、携帯音楽プレーヤー３００から再生される楽曲を外部に出力させることができる。
【００４６】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４７】
上述の実施形態においては、ＡＶレシーバー１は、メインマイコン２、サブマイコン３の２つのマイコンを備えている。これに限らず、ＡＶレシーバーは、１つのマイコンを備えており、１つのマイコンでメインマイコン２、サブマイコン３が行う処理を行うようにしてもよい。
【００４８】
上述の実施携帯においては、指示部３３は、シャッフル再生用の楽曲リストの中から、再生する楽曲を選択し、選択した楽曲の再生を携帯音楽プレーヤー３００に指示するようになっている。これに限らず、指示部３３は、携帯音楽プレーヤー３００が記憶する全楽曲の中から、再生する楽曲を選択し、選択した楽曲の再生を携帯音楽プレーヤー３００に指示するようにしてもよい。
【産業上の利用可能性】
【００４９】
本発明は、音楽再生装置が再生する楽曲の音声信号に増幅等の処理を行って出力する音声処理装置に好適に採用され得る。
【符号の説明】
【００５０】
１  ＡＶレシーバー（音声処理装置）
２  マイクロコンピュータ
２１  受付部
３  マイクロコンピュータ
３１  記憶部
３２  取得部
３３  指示部
５  操作部
６  アナログ入力端子（端子）
７  ＵＳＢ端子（第１端子）
９  セレクタ（選択部）
１００ａ  ＤＶＤプレーヤー（音楽再生装置）
１００ｂ  ＣＤプレーヤー（音楽再生装置）
１００ｃ  ＴＶ受信機（音楽再生装置）
３００  携帯音楽プレーヤー（携帯音楽再生装置）
【図１】
2015132685.tif 000003
【図２】
2015132685.tif 000004
【図３】
2015132685.tif 000005
【図４】
2015132685.tif 000006